(57)【要約】【課題】複数の通過帯域を備えたＳＡＷフィルタを提供する。また、このＳＡＷフィルタを備えたＦＳＫ受信機を提供する。【解決手段】ＳＡＷフィルタ１０は、複数の電極指の基端を接続した第１櫛部１６１と第２櫛部１６２を有し、第１櫛部１６１の電極指間に第２櫛部１６２の電極指を配設した第１ＩＤＴ１４と、この第１ＩＤＴ１４を挟み込む位置に配設した第１反射器２４と、バスバー４０３の両辺４０３ａ，４０３ｂに複数の電極指を接続した第３櫛部３４３と、複数の電極指の基端を接続した複数の第４櫛部３４４（３４４ａ，３４４ｂ）とを有し、このバスバー４０３の一方の辺４０３ａと他方の辺４０３ｂのそれぞれに第４櫛部３４４を対向させ、第３櫛部３４３の電極指間に第４櫛部３４４の電極指を配設した第２ＩＤＴ３２と、この第２ＩＤＴ３２を挟み込む位置に配設した第２反射器４２とを圧電基板１１に設けた構成である。【選択図】図１
2008028733.tif 000002
【特許請求の範囲】
【請求項１】
圧電基板と、
弾性表面波の伝搬方向に配置された第１入力ＩＤＴおよび第１出力ＩＤＴと、前記第１入力ＩＤＴおよび前記第１出力ＩＤＴを挟むように形成された一対の反射器とを前記圧電基板上に有する第１フィルタと、
弾性表面波の伝搬方向に配置された第２入力ＩＤＴおよび第２出力ＩＤＴと、前記第２入力ＩＤＴおよび前記第２出力ＩＤＴを挟むように形成された一対の反射器とを前記圧電体基板上に有する第２フィルタと、
を有するＳＡＷフィルタであって、
前記第２入力ＩＤＴは、２つの分割入力ＩＤＴを有し、前記２つの分割入力ＩＤＴの電極指は、互いに励振位相が１８０°異なるように配置され、
前記第２出力ＩＤＴは、２つの分割出力ＩＤＴを有し、前記２つの分割出力ＩＤＴの電極指は、互いに励振位相が１８０°異なるように配置されていることを特徴とするＳＡＷフィルタ。
【請求項２】
複数の電極指の基端を接続した第１櫛部と第２櫛部とを有し、前記第１櫛部の電極指間に前記第２櫛部の電極指を配設した第１ＩＤＴと、
前記第１ＩＤＴを挟み込む位置に配設した第１反射器と、
バスバーの両辺に複数の電極指を接続した第３櫛部と、複数の電極指の基端を接続した複数の第４櫛部とを有し、前記バスバーの各辺に前記第４櫛部を対向させ、前記第３櫛部の電極指間に前記第４櫛部の電極指を配設した第２ＩＤＴと、
前記第２ＩＤＴを挟み込む位置に配設した第２反射器と、
を圧電基板に設けたことを特徴とするＳＡＷフィルタ。
【請求項３】
前記第１ＩＤＴは、電気信号を入力してＳＡＷを励振する第１入力ＩＤＴと、ＳＡＷを受信して電気信号に変換し出力する第１出力ＩＤＴとを備え、
前記第２ＩＤＴは、電気信号を入力してＳＡＷを励振する第２入力ＩＤＴと、ＳＡＷを受信して電気信号に変換し出力する第２出力ＩＤＴとを備えた
ことを特徴とする請求項２に記載のＳＡＷフィルタ。
【請求項４】
前記第１入力ＩＤＴの前記第１櫛部と、前記第２入力ＩＤＴの前記第４櫛部とを導通したことを特徴とする請求項３に記載のＳＡＷフィルタ。
【請求項５】
複数のＩＤＴを並列に配置した電気信号の入力ＩＤＴと、
複数のＩＤＴを並列に配置した電気信号の出力ＩＤＴと、
前記入力ＩＤＴおよび前記出力ＩＤＴを挟み込む位置に配置した反射器とを圧電基板に設け、
前記入力ＩＤＴを構成する１つのＩＤＴと、前記出力ＩＤＴを構成する１つのＩＤＴとに、それぞれのＩＤＴの極性を連動して切り替えるスイッチ部を接続した、
ことを特徴とするＳＡＷフィルタ。
【請求項６】
複数のＩＤＴを並列に配置した電気信号の入力ＩＤＴと、
複数のＩＤＴを並列に配置した電気信号の出力ＩＤＴと、
前記入力ＩＤＴおよび前記出力ＩＤＴを挟み込む位置に配置した反射器とを圧電基板に設け、
前記出力ＩＤＴを構成する１つのＩＤＴに極性を切り替えるスイッチ部を接続した、
ことを特徴とするＳＡＷフィルタ。
【請求項７】
前記入力ＩＤＴを構成する１つのＩＤＴを、複数のストリップ電極で形成したことを特徴とする請求項６に記載のＳＡＷフィルタ。
【請求項８】
請求項１ないし４のいずれかに記載のＳＡＷフィルタを備えたＦＳＫ受信機であって、
アンテナ、アンプ、前記ＳＡＷフィルタ、複数の検波器およびデコーダを直列に接続したことを特徴とするＦＳＫ受信機。
【請求項９】
請求項５ないし７のいずれかに記載のＳＡＷフィルタを備えたＦＳＫ受信機であって、
アンテナ、アンプ、前記ＳＡＷフィルタ、検波器およびデコーダを直列に接続し、
切り替え信号に同期して、前記ＳＡＷフィルタの前記スイッチ部の切り替え、および前記デコーダにおいて入力信号の判定を行う、
ことを特徴とするＦＳＫ受信機。
【発明の詳細な説明】
【技術分野】
【０００１】
本発明は、ＳＡＷフィルタおよびＦＳＫ受信機に関するものである。
【背景技術】
【０００２】
周波数シフトキーイング（ＦＳＫ）は、少なくとも２種類の周波数を利用して信号を変調しているので、これの受信機にはそれぞれの周波数に応じた通過帯域を備えたフィルタが必要になる。そして特許文献１は、圧電基板の一端側に中心周波数ｆ０の弾性表面波（ＳＡＷ）を受信するすだれ状電極（ＩＤＴ）と、他端側に中心周波数ｆ１のＳＡＷを受信するＩＤＴとを配設し、これらのＩＤＴの間にＳＡＷを励振するＩＤＴとを配設したＳＡＷ素子について開示している。このようなＳＡＷ素子の前段にアンテナ等を接続するとともに、ＳＡＷ素子の後段に２系統の検波器等と、これを合成するデコーダとを接続することで、ＦＳＫ受信機を構成している。
【０００３】
また特許文献２は、縦モード結合型の２つのフィルタを横モードに音響的または電気的に結合して、両フィルタの特性を周波数軸上で合成し、広帯域化したＳＡＷフィルタについて開示している。なお特許文献２については、解決しようとする課題が本願発明と異なっている。また特許文献３は、切替回路によってＳＡＷ共振子に異なるモードを発振させることについて開示している。なお特許文献３については、構造および用途が本願発明と異なっている。
【特許文献１】特開平１０−１３４７６号公報（段落００１７）
【特許文献２】特開平６−２３２６８７号公報
【特許文献３】特開２００５−３０３３５９号公報
【発明の開示】
【発明が解決しようとする課題】
【０００４】
特許文献１に記載されたＳＡＷ素子はトランスバーサル型ＳＡＷフィルタのため、励振されたＳＡＷが圧電基板の両端へ伝搬して行き、伝搬消失するエネルギによりＱ値を高くすることができない。そしてＱ値が低いために、圧電基板を伝搬してきたＳＡＷ（周波数）を選別することができず、周波数精度が悪くなってしまう。これによりノイズの除去ができなくなるので、妨害波や熱雑音等の抑圧が不十分になり、受信機の感度が悪くなってしまう。また周波数精度が悪いので、２つの周波数を識別するには周波数の差が十分に離れていなければならない。したがって比較的制約の緩やかな微弱無線の範囲でしか用いることができない。
【０００５】
本発明は、複数の通過帯域を備えたＳＡＷフィルタを提供することを目的とする。また本発明は、このＳＡＷフィルタを備えたＦＳＫ受信機を提供することを目的とする。
【課題を解決するための手段】
【０００６】
本発明に係るＳＡＷフィルタは、圧電基板と、弾性表面波の伝搬方向に配置された第１入力ＩＤＴおよび第１出力ＩＤＴと、第１入力ＩＤＴおよび第１出力ＩＤＴを挟むように圧電基板上に形成された一対の反射器とを圧電基板上に有する第１フィルタと、弾性表面波の伝搬方向に配置された第２入力ＩＤＴおよび第２出力ＩＤＴと、第２入力ＩＤＴおよび第２出力ＩＤＴを挟むように圧電基板上に形成された一対の反射器とを圧電体基板上に有する第２フィルタと、を有するＳＡＷフィルタであって、第２入力ＩＤＴは、２つの分割入力ＩＤＴを有し、２つの分割入力ＩＤＴの電極指は、互いに励振位相が１８０°異なるように配置され、第２出力ＩＤＴは、２つの分割出力ＩＤＴを有し、２つの分割出力ＩＤＴの電極指は、互いに励振位相が１８０°異なるように配置されていることを特徴としている。
【０００７】
これにより第１ＩＤＴは、横方向（伝搬方向と直交する方向）に関して同位相の振動が励起されるために横モードの対称モードを励振できる。他方、第２ＩＤＴは、伝搬方向の所定の位置で、電極指の電極符号が互いに反転している電極指を有している。よって横方向に対して反対称な振動分布をもつ横モードの反対称モードを励振できる。したがって、このＳＡＷフィルタを、通過帯域の異なる２つの狭帯域フィルタとして使用できる。またそれぞれの狭帯域フィルタは、ＳＡＷのエネルギを反射器で閉じ込めできるので、Ｑ値の高い共振系を得る。このため各狭帯域フィルタで精度良く周波数を選別できるので、ＳＡＷフィルタの周波数精度を高くできる。そして入力される信号から雑音を除去できる。また各狭帯域フィルタの周波数差、すなわちＦＳＫ信号の周波数偏移を小さくできる。
【０００８】
本発明に係るＳＡＷフィルタは、複数の電極指の基端を接続した第１櫛部と第２櫛部とを有し、この第１櫛部の電極指間に第２櫛部の電極指を配設した第１ＩＤＴと、第１ＩＤＴを挟み込む位置に配設した第１反射器と、バスバーの両辺に複数の電極指を接続した第３櫛部と、複数の電極指の基端を接続した複数の第４櫛部とを有し、バスバーの各辺に第４櫛部を対向させ、第３櫛部の電極指間に第４櫛部の電極指を配設した第２ＩＤＴと、第２ＩＤＴを挟み込む位置に配設した第２反射器とを圧電基板に設けたことを特徴としている。
【０００９】
これにより第１ＩＤＴに対称モードを励振でき、第２ＩＤＴに反対称モードを励振できるから、ＳＡＷフィルタは、通過帯域の異なる２つの狭帯域フィルタを得る。またそれぞれの狭帯域フィルタは、ＳＡＷのエネルギを反射器で閉じ込めできるので、Ｑ値の高い共振系を得る。このため各狭帯域フィルタで精度良く周波数を選別できるので、ＳＡＷフィルタの周波数精度を高くできる。そして入力される信号から雑音を除去できる。また各狭帯域フィルタの周波数差、すなわちＦＳＫ信号の周波数偏移を小さくできる。
【００１０】
また前述した第１ＩＤＴは、電気信号を入力してＳＡＷを励振する第１入力ＩＤＴと、ＳＡＷを受信して電気信号に変換し出力する第１出力ＩＤＴとを備え、第２ＩＤＴは、電気信号を入力してＳＡＷを励振する第２入力ＩＤＴと、ＳＡＷを受信して電気信号に変換し出力する第２出力ＩＤＴとを備えたことを特徴としている。これにより前述した特徴を有する２ポートのＳＡＷフィルタを得る。
【００１１】
また本発明に係るＳＡＷフィルタは、第１入力ＩＤＴの第１櫛部と、第２入力ＩＤＴの第４櫛部とを導通したことを特徴としている。第１ＩＤＴと第２ＩＤＴとの形状の違いによって、第１ＩＤＴに対称モードを励振でき、第２ＩＤＴに反対称モードを励振できる。このため第１入力ＩＤＴおよび第２入力ＩＤＴに信号が同時に入力しても、この信号の周波数を選別して出力できる。
【００１２】
また本発明に係るＳＡＷフィルタは、複数のＩＤＴを並列に配置した電気信号の入力ＩＤＴと、複数のＩＤＴを並列に配置した電気信号の出力ＩＤＴと、入力ＩＤＴおよび出力ＩＤＴを挟み込む位置に配置した反射器とを圧電基板に設け、入力ＩＤＴを構成する１つのＩＤＴと、出力ＩＤＴを構成する１つのＩＤＴとに、それぞれのＩＤＴの極性を連動して切り替えるスイッチ部を接続したことを特徴としている。
【００１３】
ＩＤＴの極性を反転させることにより、ＳＡＷフィルタに対称モードまたは反対称モードを励振できる。すなわち１つのＳＡＷフィルタで、中心周波数の異なる狭帯域フィルタが複数得られる。またスイッチ部によってＩＤＴの極性を反転できるから、ＳＡＷフィルタの出力を１系統にでき、この後段に接続する回路の構成を簡単にできる。さらにＳＡＷフィルタは、ＳＡＷのエネルギを反射器で閉じ込めできるので、Ｑ値の高い共振系を得る。このため各狭帯域フィルタで精度良く周波数を選別できるので、ＳＡＷフィルタの周波数精度を高くできる。そして入力される信号から雑音を除去できる。また各狭帯域フィルタの周波数差、すなわちＦＳＫ信号の周波数偏移を小さくできる。
【００１４】
また本発明に係るＳＡＷフィルタは、複数のＩＤＴを並列に配置した電気信号の入力ＩＤＴと、複数のＩＤＴを並列に配置した電気信号の出力ＩＤＴと、入力ＩＤＴおよび出力ＩＤＴを挟み込む位置に配置した反射器とを圧電基板に設け、出力ＩＤＴを構成する１つのＩＤＴに極性を切り替えるスイッチ部を接続したことを特徴としている。
【００１５】
出力ＩＤＴを構成するＩＤＴのみにスイッチ部を接続したので、スイッチの切り替えを行う時の電力を低減できるとともに、ＳＡＷフィルタの回路構成を簡単にできる。またＩＤＴの極性を反転させることにより、ＳＡＷフィルタに対称モードまたは反対称モードを励振できる。すなわち１つのＳＡＷフィルタで、中心周波数の異なる狭帯域フィルタが複数得られる。またスイッチ部によってＩＤＴの極性を反転できるから、ＳＡＷフィルタの出力を１系統にでき、この後段に接続する回路の構成を簡単にできる。またＳＡＷフィルタは、ＳＡＷのエネルギを反射器で閉じ込めできるので、Ｑ値の高い共振系を得る。このため各狭帯域フィルタで精度良く周波数を選別できるので、ＳＡＷフィルタの周波数精度を高くできる。そして入力される信号から雑音を除去できる。また各狭帯域フィルタの周波数差、すなわちＦＳＫ信号の周波数偏移を小さくできる。
【００１６】
また本発明に係るＳＡＷフィルタは、前述した入力ＩＤＴを構成する１つのＩＤＴを、複数のストリップ電極で形成したことを特徴としている。このような構成のＳＡＷフィルタであっても、前述した効果を得ることができる。
【００１７】
また本発明に係るＦＳＫ受信機は、前述したＳＡＷフィルタを備えており、アンテナ、アンプ、ＳＡＷフィルタ、複数の検波器およびデコーダを直列に接続したことを特徴としている。
【００１８】
ＦＳＫ受信機はダイレクト検波方式を取ることができる。またＦＳＫ受信機は、ＳＡＷフィルタから出力した信号を構成の簡単な回路で検波できる。またＦＳＫ受信機に用いるＳＡＷフィルタは、前述したようにＱ値が高いものであるから周波数精度が向上しており、周波数偏移を小さくできる。このためＦＳＫ受信機は、微弱無線以外の用途に使用することができる。さらにＦＳＫ受信機は、感度も向上している。
【００１９】
また本発明に係るＳＡＷフィルタは、前述したＳＡＷフィルタを備えており、アンテナ、アンプ、ＳＡＷフィルタ、検波器およびデコーダを直列に接続し、切り替え信号に同期して、ＳＡＷフィルタのスイッチ部の切り替え、およびデコーダにおいて入力信号の判定を行うことを特徴としている。
【００２０】
これによりＳＡＷフィルタの出力が１系統になるから、検波器を１系統にのみ設ければよい。このためＳＡＷフィルタの後段の回路構成が簡単になり、電力消費を低減できる。またスイッチ部を出力ＩＤＴのみに接続すれば、さらに電力消費を低減できる。またＦＳＫ受信機はダイレクト検波方式を取ることができる。またＦＳＫ受信機は、ＳＡＷフィルタから出力した信号を構成の簡単な回路で検波できる。またＦＳＫ受信機に用いるＳＡＷフィルタは、前述したようにＱ値が高いものであるから周波数精度が向上しており、周波数偏移を小さくできる。このためＦＳＫ受信機は、微弱無線以外の用途に使用することができる。またＦＳＫ受信機は、感度も向上している。
【発明を実施するための最良の形態】
【００２１】
以下に、本発明に係るＳＡＷフィルタおよびＦＳＫ受信機の実施形態について説明する。まず第１の実施形態について説明する。図１は第１の実施形態に係るＳＡＷフィルタの説明図である。ここで図１（Ａ）はＳＡＷフィルタの概略平面図、図１（Ｂ）は第１入力ＩＤＴの概略平面図、図１（Ｃ）は第２入力ＩＤＴの概略平面図である。第１の実施形態に係るＳＡＷフィルタ１０は、横モードの対称モードを励振する第１ＳＡＷフィルタ１２と、横モードの反対称モードを励振する第２ＳＡＷフィルタ３０を備えている。
【００２２】
第１ＳＡＷフィルタ１２は第１ＩＤＴ１４と、この第１ＩＤＴ１４で励振されたＳＡＷの伝搬方向において第１ＩＤＴ１４を挟み込むように配置した第１反射器２４とを圧電基板１１に設けた構成である。第１ＩＤＴ１４は、電気信号を入力して圧電基板１１にＳＡＷに励振する第１入力ＩＤＴ１６と、伝搬してきたＳＡＷを受信し電気信号に変換して出力する第１出力ＩＤＴ１８とを備えている。第１入力ＩＤＴ１６は、１対の櫛部を噛み合せることで形成してある。すなわち第１入力ＩＤＴ１６は、複数の電極指２０の基端をバスバー２２で接続してなる櫛部（第１櫛部１６１および第２櫛部１６２）を有しており、第１櫛部１６１の電極指２０１の間に第２櫛部１６２の電極指２０２を配置することで形成してある。また第１出力ＩＤＴ１８は、第１入力ＩＤＴ１６と同じ形状になっている。第１入力ＩＤＴ１６および第１出力ＩＤＴ１８に幾何学的反転、回転等を施し、さらに電気的に等価な接続に変更可能である。第１入力ＩＤＴ１６と第１出力ＩＤＴ１８の電極指本数を数％程度異なる構成とすることが可能である。
【００２３】
第２ＳＡＷフィルタ３０は第２ＩＤＴ３２と、この第２ＩＤＴ３２で励振されたＳＡＷの伝搬方向において第２ＩＤＴ３２を挟み込むように配置した第２反射器４２とを圧電基板１１に設けた構成である。第２ＩＤＴ３２は、電気信号を入力して圧電基板１１にＳＡＷに励振する第２入力ＩＤＴ３４（２つの分割入力ＩＤＴ）と、伝搬してきたＳＡＷを受信し電気信号に変換して出力する第２出力ＩＤＴ３６（２つの分割出力ＩＤＴ）とを備えている。この第２出力ＩＤＴ３６は、第２入力ＩＤＴ３４と同じ形状になっている。第２入力ＩＤＴ３４および第２出力ＩＤＴ３６に幾何学的反転、回転等を施し、さらに電気的に等価な接続に変更可能である。第２入力ＩＤＴ３４と第２出力ＩＤＴ３６の電極指本数を数％程度異なる構成とすることが可能である。
【００２４】
第２入力ＩＤＴ３４は、少なくとも３つの櫛部（少なくとも１つの第３櫛部３４３と、少なくとも２つの第４櫛部３４４（３４４ａ，３４４ｂ））を有している。この第３櫛部３４３は複数の電極指３８３を有しており、バスバー４０３の一方の辺４０３ａに電極指３８３ａの基端を接続するとともに、他方の辺４０３ｂに電極指３８３ｂの基端を接続したものである。また第４櫛部３４４は、複数の電極指３８４の基端をバスバー４０４で接続したものである。そして第２入力ＩＤＴ３４は、第４櫛部３４４ａと第４櫛部３４４ｂとの間に第３櫛部３４３を配置するとともに、第４櫛部３４４ａ，３４４ｂの電極指３８４の間に第３櫛部３４３の電極指３８３（３８３ａ，３８３ｂ）を配置することで形成してある。換言すると第２入力ＩＤＴ３４は、第３櫛部３４３を構成するバスバー４０３の一方の辺４０３ａに設けた電極指３８３ａの間に第４櫛部３４４ａの電極指３８４を配置するとともに、第３櫛部３４３を構成するバスバー４０３の他方の辺４０３ｂに設けた電極指３８３ｂの間に第４櫛部３４４ｂの電極指３８４を配置することで形成してある。
【００２５】
そして第２ＩＤＴ３２おいて、１つの第４櫛部３４４（第４櫛部３４４ａまたは第４櫛部３４４ｂ）に設けられている電極指３８４と、これに対向している第３櫛部３４３の電極指３８３とが交差している部分の幅（交差幅）をＷ２とするとともに、第１ＩＤＴ１４において第１櫛部１６１の電極指２０１と第２櫛部１６２の電極指２０２の交差幅をＷ１とすると、図１に示す場合ではＷ２＜Ｗ１の関係になっている。
【００２６】
第１反射器２４および第２反射器４２は、第１櫛部１６１の電極指２０１等に沿った導体ストリップ４８を有し、その両端を接続した構成である。なお図１では、第１反射器２４と第２反射器４２をそれぞれ圧電基板１１に配設しているが、実施形態によっては隣接する第１反射器２４の導体ストリップ４８と第２反射器４２の導体ストリップ４８を接続することもできる。すなわち第１ＩＤＴ１４と第２ＩＤＴ３２を１対の反射器で挟み込む形態であってもよい。
【００２７】
そして前述した第１ＩＤＴ１４および第２ＩＤＴ３２には、電気信号を入力するための信号線（入力信号線５０）および電気信号を出力するための信号線（出力信号線５２）が接続している。具体的には、入力信号線５０は、第１入力ＩＤＴ１６の第１櫛部１６１に接続するとともに、途中で分岐して第２入力ＩＤＴ３４の各第４櫛部３４４に接続している。すなわち第１入力ＩＤＴ１６の第１櫛部１６１と、第２入力ＩＤＴ３４の各第４櫛部３４４ａ，３４４ｂは、入力信号線５０を介して導通している。
【００２８】
また出力信号線５２のうちの１つは、第１出力ＩＤＴ１８の第１櫛部１８１に接続するとともに、他は、第２出力ＩＤＴ３６の第４櫛部３６４に接続している。そして第２出力ＩＤＴ３６の各第４櫛部３６４に接続した出力信号線５２は、途中で接続している。なお第１出力ＩＤＴ１８の第１櫛部１８１と第２出力ＩＤＴ３６の第４櫛部３６４は、出力信号線５２を介して導通していない。
【００２９】
また第１ＩＤＴ１４の第２櫛部１６２，１８２と第２ＩＤＴ３２の第３櫛部３４３，３６３は接地している。
【００３０】
なお第１ＳＡＷフィルタ１２と第２ＳＡＷフィルタ３０は、それぞれで励振されるＳＡＷが結合しない距離を保って圧電基板１１に配設されている。
【００３１】
次に、第１の実施形態に係るＳＡＷフィルタ１０の作用について説明する。まずＳＡＷフィルタ１０は、入力信号線５０を介して電気信号を入力する。この電気信号は、第１入力ＩＤＴ１６および第２入力ＩＤＴ３４のそれぞれに入力する。すると第１，２入力ＩＤＴ１６，３４は、圧電基板１１にＳＡＷを励振する。そして第１入力ＩＤＴ１６で励振されたＳＡＷは、第１ＳＡＷフィルタ１２内を伝搬して第１反射器２４で反射される。これにより第１反射器２４の間に定在波が生じる。第１ＩＤＴ１４は、横方向（伝搬方向と直交する方向）に電極指２０が連続しているため、横方向に関して同位相の振動が励起され横モードの対称モードを励振できる。なお、この第１ＳＡＷフィルタ１２の中心周波数はｆ１となっている。
【００３２】
また第２入力ＩＤＴ３４で励振されたＳＡＷは第２反射器４２の間に閉じ込められるので、第２反射器４２の間に定在波が生じる。このとき第２ＩＤＴ３２は、第４櫛部３４４，３６４の間に第３櫛部３４３，３６３を有している。そして第２ＩＤＴ３２は伝搬方向に同一位置の電極指３８の電極符号が上下の電極指（３８３，３８４）で反転する（１８０°位相が異なる）ような幾何学構造および電極的接続となっているために、横方向に対して反対称な振動分布をもつ横モードの反対称モードを励振できる。なお、この第２ＳＡＷフィルタ３０の中心周波数はｆ２になっている。なお第１ＩＤＴ１４を横方向（伝搬方向と直交する方向）に分割して中央にバスバーを設け、対称モードが励振可能なように電極指符号、電気的接続を変更可能である。また第３櫛部３４３のバスバー４０３を上下の電極用に分割して、反対称モードが励振可能なように電極指符号、電気的接続を変更可能である。
【００３３】
そして第１，２出力ＩＤＴ１８，３６は、それぞれＳＡＷを受信して電気信号に変換する。第１出力ＩＤＴ１８で変換された電気信号は、出力信号線５２を介して出力される。また第２出力ＩＤＴ３６で変換された電気信号は、出力信号線５２を介して出力される。なお出力される電気信号は、第１，２ＳＡＷフィルタ１２，３０でそれぞれ濾波されているので、ノイズが除去されている。
【００３４】
ここで圧電基板１１としてＳＴカット水晶基板を用いた場合には、反対称モードのＳＡＷの周波数が対称モードのＳＡＷの周波数よりも高くなる。すなわち第２ＳＡＷフィルタ３０の中心周波数ｆ２は、第１ＳＡＷフィルタ１２の中心周波数ｆ１よりも高くなる。これに対し、圧電基板１１を他の圧電材料で形成した場合には、反対称モードのＳＡＷの周波数が対称モードのＳＡＷの周波数よりも低くなることもある。
これによりＳＡＷフィルタ１０は、異なる周波数の電気信号、例えば周波数ｆ１とｆ２の電気信号を出力する。
【００３５】
以上のように、ＳＡＷフィルタ１０は、圧電基板１１に励振される横モードが異なっている中心周波数ｆ１の第１ＳＡＷフィルタ１２（狭帯域フィルタ）と、中心周波数ｆ２の第２ＳＡＷフィルタ３０（狭帯域フィルタ）を有している。この第１ＳＡＷフィルタ１２および第２ＳＡＷフィルタ３０は、それぞれ第１反射器２４と第２反射器４２でＳＡＷを閉じ込めているので、Ｑ値の高い共振系を得る。このため第１ＳＡＷフィルタ１２および第２ＳＡＷフィルタ３０のそれぞれでＳＡＷ（周波数）の選別を精度良くできるので、ＳＡＷフィルタ１０の周波数精度を高くできる。
【００３６】
またＱ値の向上により、ＳＡＷフィルタ１０に入力される電気信号に含まれる雑音も除去できるので、妨害波や熱雑音等の抑圧を十分にでき、ＳＡＷフィルタ１０を用いたＦＳＫ受信機の感度を高くできる。また周波数精度の向上により、２つの周波数を識別するのに周波数の差が十分に離れている必要はない。
【００３７】
またＳＡＷフィルタ１０は、第１ＳＡＷフィルタ１２と第２ＳＡＷフィルタ３０を１つの圧電基板１１の上に設けているので、製造バラツキによってＦＳＫの重要な特性値である周波数差、すなわちｆ１とｆ２の差に変動が生じることを防止できる。すなわち第１ＳＡＷフィルタと第２ＳＡＷフィルタをそれぞれ別の圧電基板上に形成すると、ＩＤＴや反射器（電極パターン）の膜厚に違いが生じたり、エッチング時において電極パターンの抜け方（形状）に違いが出たりするので、周波数がＳＡＷフィルタ間で別々に変動してしまう。これに対し本実施形態のように、第１ＳＡＷフィルタ１２と第２ＳＡＷフィルタ３０を近接させた状態で製造すると、電極パターンの膜厚や形状に大きな違いが出ないので、製造バラツキによる周波数差を小さくすることができる。よってＳＡＷフィルタ１０は、中心周波数ｆ１と中心周波数ｆ２の差（周波数偏移）にバラツキを生じ難くできる。またｆ１とｆ２を同時に周波数調整することで、周波数調整が容易に行える。
【００３８】
次に、第２の実施形態について説明する。図２は第２の実施形態に係るＳＡＷフィルタの概略平面図である。第２の実施形態に係るＳＡＷフィルタ６０は複数のＩＤＴ６８と、このＩＤＴ６８で励振されたＳＡＷの伝搬方向においてＩＤＴ６８を挟み込むように配置した反射器７６とを圧電基板１１に設けた構成である。
【００３９】
複数のＩＤＴ６８は、電気信号を入力して圧電基板１１にＳＡＷに励振する入力ＩＤＴ６４と、伝搬してきたＳＡＷを受信し電気信号に変換して出力する出力ＩＤＴ６６を備えている。入力ＩＤＴ６４は、１対の櫛部７４を噛み合せることで形成されるＩＤＴ６８を複数有している。すなわちＩＤＴ６８は、複数の電極指７０の基端をバスバー７２で接続してなる櫛部７４を有しており、一方の櫛部７４の電極指７０の間に他方の櫛部７４の電極指７０を配置することで形成してある。そして入力ＩＤＴ６４は、励振されたＳＡＷの伝搬方向に対して直交する方向に複数のＩＤＴ６８を並列に配置したものである。また出力ＩＤＴ６６は、入力ＩＤＴ６４と同じ形状になっている。入力ＩＤＴ６４および出力ＩＤＴ６６に幾何学的反転、回転等を施し、さらに電気的に等価な接続に変更可能である。入力ＩＤＴ６４と出力ＩＤＴ６６の電極指本数を数％程度異なる構成とすることが可能である。
【００４０】
反射器７６は、ＩＤＴ６８の電極指７０に沿った導体ストリップ４８を有しており、その両端を接続した構成である。
【００４１】
そして入力ＩＤＴ６４に入力信号線５０が接続しており、出力ＩＤＴ６６に出力信号線５２が接続している。具体的には、入力信号線５０は、入力ＩＤＴ６４を構成している一方のＩＤＴ６８ａ（図２では上方のＩＤＴ６８ａ）の一方の櫛部７４１に接続している。また入力信号線５０は途中で分岐して入力側の第１スイッチ部８０ａを介した後、他方のＩＤＴ６８ｂ（図２では下方のＩＤＴ６８ｂ）における一方の櫛部７４３と他方の櫛部７４４に接続している。また他方のＩＤＴ６８ｂは、入力側の第２スイッチ部８０ｂを介して接地部７８に接続している。この入力側の第１スイッチ部８０ａと第２スイッチ部８０ｂは、連動して切り替わる。
【００４２】
すなわち入力側の第１スイッチ部８０ａの切り替えによって、他方のＩＤＴ６８ｂにおける一方の櫛部７４３と一方のＩＤＴ６８ａにおける一方の櫛部７４１が導通すると、第２スイッチ部８０ｂも連動して切り替わり、他方のＩＤＴ６８ｂにおける他方の櫛部７４４が接地する。また入力側の第１スイッチ部８０ａの切り替えによって、他方のＩＤＴ６８ｂにおける他方の櫛部７４４と一方のＩＤＴ６８ａにおける一方の櫛部７４１が導通すると、第２スイッチ部８０ｂも連動して切り替わり、他方のＩＤＴ６８ｂにおける一方の櫛部７４３が接地する。
【００４３】
また出力信号線５２は、出力ＩＤＴ６６を構成している一方のＩＤＴ６８ｃ（図２では上方のＩＤＴ６８ｃ）の一方の櫛部７４５に接続している。さらに出力信号線５２は途中で分岐して出力側の第１スイッチ部８０ｃを介した後、他方のＩＤＴ６８ｄ（図２では下方のＩＤＴ６８ｄ）における一方の櫛部７４７と他方の櫛部７４８に接続している。また他方のＩＤＴ６８ｄは、出力側の第２スイッチ部８０ｄを介して接地部７８に接続している。この出力側の第１スイッチ部８０ｃと第２スイッチ部８０ｄは連動して切り替わるとともに、入力側の第１スイッチ部８０ａおよび第２スイッチ部８０ｂとも連動して切り替わる。
【００４４】
すなわち入力側の第１，２スイッチ部８０ａ，８０ｂの切り替えに連動して出力側の第１スイッチ部８０ｃが切り替わると、他方のＩＤＴ６８ｄにおける一方の櫛部７４７と一方のＩＤＴ６８ｃにおける一方の櫛部７４５が導通するとともに、第２スイッチ部８０ｄも連動して切り替わり、他方のＩＤＴ６８ｄにおける他方の櫛部７４８が接地する。なお、このときは図２に示すように、入力側の第１スイッチ部８０ａは、入力側の他方のＩＤＴ６８ｂにおける一方の櫛部７４３を選択し、入力側の第２スイッチ部８０ｂは他方の櫛部７４４を選択している。
【００４５】
また出力側の第１スイッチ部８０ｃの切り替えによって、他方のＩＤＴ６８ｄにおける他方の櫛部７４８と一方のＩＤＴ６８ｃにおける一方の櫛部７４５が導通すると、第２スイッチ部８０ｄも連動して切り替わり、他方のＩＤＴ６８ｄにおける一方の櫛部７４７が接地する。なお、このときは、入力側の第１スイッチ部８０ａは、入力側の他方のＩＤＴ６８ｂにおける他方の櫛部７４４を選択し、入力側の第２スイッチ部８０ｂは一方の櫛部７４３を選択している。
【００４６】
また入力ＩＤＴ６４および出力ＩＤＴ６６を構成しているそれぞれの一方のＩＤＴ６８ａ，６８ｃにおいて、他方の櫛部７４２，７４６は接地している。
【００４７】
次に、第２の実施形態に係るＳＡＷフィルタ６０の作用について説明する。まず入力側および出力側の第１スイッチ部８０ａ，８０ｃがそれぞれ一方の櫛部７４３，７４７を選択し、入力側および出力側の第２スイッチ部８０ｂ，８０ｄがそれぞれ他方の櫛部７４４，７４８を選択している場合（図２に示す場合）は、次のようになる。
【００４８】
ＳＡＷフィルタ６０は、入力信号線５０を介して入力ＩＤＴ６４に電気信号を入力する。入力ＩＤＴ６４では、一方のＩＤＴ６８ａにおける一方の櫛部７４１と、他方のＩＤＴ６８ｂにおける一方の櫛部７４３とに電気信号を入力する。すると入力ＩＤＴ６４は、圧電基板１１にＳＡＷを励振する。そしてＳＡＷはＳＡＷフィルタ６０内を伝搬するが、このとき入力側の一方のＩＤＴ６８ａで励振されたＳＡＷと他方のＩＤＴ６８ｂで励振されたＳＡＷが同位相で駆動される。結合する。このＳＡＷは反射器７６の間に閉じ込められるので反射器７６の間に定在波が生じ、横モードの対称モードを得る。なお、このＳＡＷフィルタ６０の中心周波数はｆ１となっている。
【００４９】
そして出力ＩＤＴ６６は、ＳＡＷを受信して電気信号に変換する。出力ＩＤＴ６６で変換された電気信号は、出力信号線５２を介して出力される。なおこの電気信号は、ＳＡＷフィルタ６０で濾波されているので、ノイズが除去されている。
【００５０】
また入力側および出力側の第１スイッチ部８０ａ，８０ｃがそれぞれ他方の櫛部７４４，７４８を選択し、入力側および出力側の第２スイッチ部８０ｂ，８０ｄがそれぞれ一方の櫛部７４３，７４７を選択している場合は、次のようになる。ＳＡＷフィルタ６０は、入力信号線５０を介して入力ＩＤＴ６４に電気信号を入力すると、前述した形態と同様に圧電基板１１にＳＡＷを励振して、反射器７６の間に定在波を生じる。このとき一方のＩＤＴ６８ａの一方の櫛部７４１と、他方のＩＤＴ６８ｂの他方の櫛部７４４に電気信号が供給されているので、ＳＡＷが逆位相で駆動されることにより、横モードの反対称モードを得る。なお、このＳＡＷフィルタ６０の中心周波数はｆ２となっている。そして出力ＩＤＴ６６は、ＳＡＷを受信して電気信号に変換する。出力ＩＤＴ６６で変換された電気信号は、出力信号線５２を介して出力される。なおこの電気信号は、ＳＡＷフィルタ６０で濾波されているので、ノイズが除去されている。
【００５１】
以上のように、入力側の第１，２スイッチ部８０ａ，８０ｂと出力側の第１，２スイッチ部８０ｃ，８０ｄを連動して切り替えることにより、ＳＡＷフィルタ６０に横モードの対称モードまたは反対称モードを励振できる。この横モードの違いによって、１つのＳＡＷフィルタ６０で通過帯域の異なる狭帯域フィルタ、すなわち中心周波数ｆ１の狭帯域フィルタと中心周波数ｆ２の狭帯域フィルタを得る。また複数のスイッチ部８０（８０ａ〜８０ｄ）を設けて切り替えを行うことにより、ＳＡＷフィルタ６０の出力を１系統にできる。よってＳＡＷフィルタ６０の後段に接続する回路の構成を簡単にできる。
【００５２】
またＳＡＷフィルタ６０は反射器７６でＳＡＷを閉じ込めているので、Ｑ値の高い共振系を得る。このためＳＡＷ（周波数）の選別を精度良くできるので、ＳＡＷフィルタ６０の周波数精度を高くできる。またＱ値の向上により、ＳＡＷフィルタ６０に入力される電気信号に含まれる雑音も除去できるので、妨害波や熱雑音等の抑圧を十分にでき、ＳＡＷフィルタ６０を用いたＦＳＫ受信機の感度を高くできる。また周波数精度の向上により、２つの周波数を識別するのに周波数の差が十分に離れている必要はない。
【００５３】
またＳＡＷフィルタ６０は、通過帯域の異なる複数の狭帯域フィルタを１つの圧電基板１１で得るので、製造バラツキによってＦＳＫの重要なパラメータである周波数差、すなわちｆ１とｆ２との差に変動を与えることを防止できる。すなわち通過帯域の異なるＳＡＷフィルタをそれぞれ別の圧電基板上に形成すると、ＩＤＴや反射器（電極パターン）の膜厚に違いが生じたり、エッチング時において電極パターンの抜け方（形状）に違いが出たりするので、周波数がＳＡＷフィルタ間で別々に変動してしまう。これに対し本実施形態のように、１つのＳＡＷフィルタ６０では、電極パターンの膜厚や形状に大きな違いが出ないので、製造バラツキによる周波数差を小さくすることができる。よってＳＡＷフィルタ６０は、中心周波数ｆ１と中心周波数ｆ２の差（周波数偏移）にバラツキを生じ難くできる。またｆ１とｆ２を同時に周波数調整することで、周波数調整が容易に行える。
【００５４】
次に、第３の実施形態について説明する。図３は第３の実施形態に係るＳＡＷフィルタの概略平面図である。第３の実施形態に係るＳＡＷフィルタ６０は、第２の実施形態に係るＳＡＷフィルタと同形状であるが、入力信号線５０の接続パターンが異なっている。このため以下では、入力信号線５０について説明する。入力信号線５０は、入力ＩＤＴ６４の一方のＩＤＴ６８ａにおける一方の櫛部７４１に接続している。そして一方のＩＤＴ６８ａにおける他方の櫛部７４２は接地している。また入力ＩＤＴ６４の他方のＩＤＴ６８ｂは何処にも接続してなく、ノンコネクトになっている。なお出力信号線５２は、第２の実施形態と同じ形態で出力ＩＤＴ６６に接続している。
【００５５】
次に、第３の実施形態に係るＳＡＷフィルタ６０の作用について説明する。ＳＡＷフィルタ６０は、入力信号線５０を介して入力ＩＤＴ６４の一方のＩＤＴ６８ａに電気信号を入力する。すると一方ＩＤＴ６８ａは、圧電基板１１にＳＡＷを励振する。そしてＳＡＷは、ＳＡＷフィルタ６０内を伝搬して反射器７６で反射される。これにより反射器７６の間に定在波が生じる。そして出力ＩＤＴ６６は、ＳＡＷを受信して電気信号に変換する。このとき図３に示すように、出力側の第１スイッチ部８０ｃが一方の櫛部７４７を選択し、第２スイッチ部８０ｄが他方の櫛部７４８を選択している場合、出力ＩＤＴ６６は、対称モードのＳＡＷを受信して電気信号に変換する。なお、このときのＳＡＷフィルタ６０の中心周波数はｆ１になっている。
【００５６】
これに対し、出力側の第１スイッチ部８０ｃが他方の櫛部７４８を選択し、第２スイッチ部８０ｄが一方の櫛部７４７を選択している場合、出力ＩＤＴ６６は、反対称モードのＳＡＷを受信して電気信号に変換する。なお、このときのＳＡＷフィルタ６０の中心周波数はｆ２になっている。
【００５７】
そして出力ＩＤＴ６６で変換された電気信号は、出力信号線５２を介して出力する。なおこの電気信号は、ＳＡＷフィルタ６０で濾波されているので、ノイズが除去されている。
【００５８】
以上のようにＳＡＷフィルタ６０は、出力側の第１，２スイッチ部８０ｃ，８０ｄを連動して切り替えることにより、横モードの対称モードまたは反対称モードの違いによって、１つのＳＡＷフィルタ６０で通過帯域の異なる狭帯域フィルタ、すなわち中心周波数ｆ１の狭帯域フィルタと中心周波数ｆ２の狭帯域フィルタを得る。
【００５９】
またＳＡＷフィルタ６０の出力側にのみスイッチ部８０ｃ，８０ｄを設けているので、スイッチ部８０の動作に必要な電力を削減できる。また出力側の第１，２スイッチ部８０ｃ，８０ｄを設けて切り替えを行うことにより、ＳＡＷフィルタ６０の出力を１系統にできる。よってＳＡＷフィルタ６０の後段に接続する回路の構成を簡単にできる。なお入力側のみにスイッチを設けた構成にすることもできる。
【００６０】
またこれらの効果以外にも、第２の実施形態のＳＡＷフィルタと同様の効果を奏することができる。
【００６１】
なお第３の実施形態は、図３に示すＳＡＷフィルタ自体の形態ばかりでなく、図４に示す形態を適用することもできる。なお図４では、ＳＡＷフィルタ自体の概略平面図のみを示し、入力信号線や出力信号線の記載を省略している。図４に示すＳＡＷフィルタ６０は、図３に示すＳＡＷフィルタと比較すると、入力ＩＤＴ６４における他方のＩＤＴ６８ｂの形態が異なっている。すなわち、この変形例に係る他方のＩＤＴ６８ｂは、複数のグレーティング電極８４によって形成してある。このグレーティング電極８４は、一方のＩＤＴ６８ａを構成している電極指７０等の向きに沿って設けられている。そして図４に示すように、グレーティング電極８４の両端をバスバー８６で接続してあってもよい。このようなＳＡＷフィルタ６０を用いても、前述した第３の実施形態と同様の作用、効果を奏することができる。
【００６２】
次に、第４の実施形態について説明する。第４の実施形態では、前述したＳＡＷフィルタを用いたＦＳＫ受信機について説明する。図５はＦＳＫ受信機の説明図である。ここで図５（Ａ）は、第１の実施形態で説明したＳＡＷフィルタを用いたＦＳＫ受信機のブロック図である。また図５（Ｂ）は、第２，３の実施形態で説明したＳＡＷフィルタを用いたＦＳＫ受信機のブロック図である。さらに図５（Ｃ）は、切り替え信号をＳＡＷフィルタに入力するタイミングを説明する図である。
【００６３】
まず図５（Ａ）に示すＦＳＫ受信機９０は、アンテナ９２と増幅器９４が入力信号線５０を介してＳＡＷフィルタ１０の前段に接続するとともに、検波器９６とデコーダ９８がＳＡＷフィルタの後段に接続している。そしてＳＡＷフィルタの出力（出力信号線５２）は、図１に示すように第１出力ＩＤＴ１８の第１櫛部１８１に接続した系統と、第２出力ＩＤＴ３６の第４櫛部３６４に接続した系統の２系統を有している。すなわちＳＡＷフィルタ１０の出力は、中心周波数ｆ１の通過帯域を通った信号の出力系統と、中心周波数ｆ２の通過帯域を通った信号の出力系統とを有している。そして各系統に検波器９６が設けられており、各検波器９６の後段にデコーダ９８が接続している。
【００６４】
このようなＦＳＫ受信機９０は、ＦＳＫ送信機（図示せず）から２値の信号が送信されてくると、この信号をアンテナ９２で受信する。そしてこの信号（電気信号）は、増幅器９４で増幅された後、ＳＡＷフィルタ１０に入力する。ＳＡＷフィルタ１０は、第１の実施形態で説明したように、中心周波数ｆ１の通過帯域を有する第１ＳＡＷフィルタ１２で信号を濾波し、または中心周波数ｆ２の通過帯域を有する第２ＳＡＷフィルタ３０で信号を濾波する。この後、各検波器９６は、ＳＡＷフィルタ１０から出力した信号を検波した後、デコーダ９８に出力する。デコーダ９８は、各検波器９６から入力した検波後の信号を合成して、復調を完了する。
【００６５】
また図５（Ｂ）に示すＦＳＫ受信機９０は、アンテナ９２と増幅器９４が入力信号線５０を介してＳＡＷフィルタ６０の前段に接続するとともに、ＳＡＷフィルタ６０の後段に出力信号線５２を介して検波器９６とデコーダ９８が接続している。そしてＳＡＷフィルタ６０は、中心周波数ｆ１の通過帯域を通った信号と、中心周波数ｆ２の通過帯域を通った信号とを同じ出力信号線５２を用いて出力している。このためＳＡＷフィルタ６０の出力は１系統になっている。またＳＡＷフィルタ６０は、図２や図３に示すスイッチ部８０（８０ａ〜８０ｄ）を連動して切り替えるために、切り替え信号を入力している。デコーダ９８にも切り替え信号を入力して同期して信号の判定を行う。
【００６６】
このようなＦＳＫ受信機９０は、ＦＳＫ送信機（図示せず）から２値の信号（「０」と「１」の信号）が送信されてくると、この信号をアンテナ９２で受信する。そしてこの信号は、増幅器９４で増幅された後、ＳＡＷフィルタ６０に入力する。
【００６７】
ＳＡＷフィルタ６０は、図５（Ｃ）に示すように、入力する２値の信号の変調間隔（変調速度）、すなわち「０」と「１」が切り替わる間隔よりも細かい間隔で切り替え信号を入力して、各スイッチ８０を切り替えている。具体的には、１つの「１」信号または「０」信号のパルスを入力する間に、少なくとも２回切り替え信号をＳＡＷフィルタ６０に入力して、各スイッチ部８０を連動して切り替える。これによりＳＡＷフィルタ６０は、１つの信号パルス中で、第２，３の実施形態で説明したように中心周波数ｆ１の通過帯域の狭帯域フィルタと中心周波数ｆ２の通過帯域の狭帯域フィルタを切り替えることができる。
【００６８】
なお図５（Ｃ）に示す場合では、実線で示す切り替え信号をＳＡＷフィルタ６０に入力した場合と、破線で示す切り替え信号を入力した場合とで異なる中心周波数を選択している。一例としては、実線の切り替え信号をＳＡＷフィルタ６０が入力して各スイッチ部８０を切り替えることで中心周波数ｆ１の狭帯域フィルタを選択し、破線の切り替え信号をＳＡＷフィルタ６０に入力して各スイッチ部８０を切り替えることで中心周波数ｆ２の狭帯域フィルタを選択している。そしてＳＡＷフィルタ６０は、１つの信号パルスあたり切り替え信号を４回入力している。ここでＦＳＫの変調速度は設計の段階で決められる、すなわち前記ＦＳＫ送信機を製作するときに決められるから、ＦＳＫ受信機９０の製作時にこの設計仕様を得て、この変調速度よりも十分に速くスイッチングをするように設計すればよい。
【００６９】
このようにＳＡＷフィルタ６０が動作することによって、中心周波数ｆ１の通過帯域を通った信号、または中心周波数ｆ２の通過帯域を通った信号がＳＡＷフィルタ６０から出力する。この後、検波器９６でレベル検出を行う。デコーダ９８は、ＳＡＷフィルタ６０の各スイッチ部８０の切り替えに同期させて、ＳＡＷフィルタ６０から出力した信号の周波数判定を行い、復調を完了する。なお図５（Ｂ）に示すＦＳＫ受信機９０では、検波器９６の後段に安定回路を接続してもよい。この安定回路は、ＳＡＷフィルタ６０の各スイッチ部８０を切り替えることによって信号が不安定になるのが、これを安定化できる。
【００７０】
以上のように、第１ないし３の実施形態で説明したＳＡＷフィルタ１０，６０をＦＳＫ受信機９０に用いることにより、ＦＳＫ受信機９０はダイレクト検波方式を取ることができる。またＦＳＫ受信機９０は、ＳＡＷフィルタ１０，６０から出力した信号をＡＭ（振幅変調）検波できるので簡単な回路構成にでき、また消費電力を低減できる。
【００７１】
またＦＳＫ受信機９０に用いるＳＡＷフィルタ１０，６０は、前述したようにＱ値が高いものであるから周波数精度が向上しており、周波数偏移を小さくできる。このためＦＳＫ受信機９０は、微弱無線以外の用途に使用できる。さらにＦＳＫ受信機９０は、感度も向上している。
【００７２】
また図５（Ｂ）に示すＦＳＫ受信機９０では、同相・逆相の合成を各スイッチ部８０の切り替えによって実現でき、周波数の選択を可能にしている。そして各スイッチ部８０の切り替えを、変調速度よりも速い速度で行っている。このためＳＡＷフィルタ６０の後段に接続する回路を共通化、すなわち１系統にできるので、より低消費電力にできる。さらに図５（Ｂ）のＦＳＫ受信機９０に、第３の実施形態に係るＳＡＷフィルタ６０を用いると、ＳＡＷフィルタ６０の入力側にスイッチ部を設ける必要がない。これによりＳＡＷフィルタ６０を簡素化でき、さらに低消費電力にできる。
【図面の簡単な説明】
【００７３】
【図１】第１の実施形態に係るＳＡＷフィルタの説明図である。
【図２】第２の実施形態に係るＳＡＷフィルタの概略平面図である。
【図３】第３の実施形態に係るＳＡＷフィルタの概略平面図である。
【図４】変形例に係るＳＡＷフィルタの概略平面図である。
【図５】ＦＳＫ受信機の説明図である。
【符号の説明】
【００７４】
１０………ＳＡＷフィルタ、１１………圧電基板、１４………第１ＩＤＴ、１６………第１入力ＩＤＴ、１６１………第１櫛部、１６２………第２櫛部、１８………第１出力ＩＤＴ、２４………第１反射器、３２………第２ＩＤＴ、３４………第２入力ＩＤＴ、３４３………第３櫛部、３４４………第４櫛部、３６………第２出力ＩＤＴ、４２………第２反射器、６０………ＳＡＷフィルタ、６４………入力ＩＤＴ、６６………出力ＩＤＴ、６８………ＩＤＴ、７６………反射器、８０（８０ａ〜８０ｄ）………スイッチ部、９０………ＦＳＫ受信機。
【図１】
2008028733.tif 000003
【図２】
2008028733.tif 000004
【図３】
2008028733.tif 000005
【図４】
2008028733.tif 000006
【図５】
2008028733.tif 000007